(57)【要約】【課題】エレベーター秤装置の動作試験は、ピット室に作業者がいる状態で、エレベーターの運転モードを平常状態にした後、ピット室の作業者の秤装置用スイッチを動作させるため、動作試験時はピット室から作業者が乗降場に出た状態で、安全に、かつ確実に確認ができる動作試験装置の提供が課題であった。【解決手段】秤装置用スイッチを試験的に作動させる動作試験具７a及び制御電源部をエレベーター籠の床面２の裏面に着脱自在に装着され、制御電源部１４と操作部１７間は無線通信１８で行う構成とし、操作部１７はエレベーター籠内などより遠隔操作で作動指令を無線通信１８により制御電源部１４に送り、制御電源部１４より電線１５を介して動作試験具７aの電磁マグネット部８を励磁し、プランジャー９の水平方向への移動によりスイッチ作動カム７が可動して秤装置用スイッチが作動状態にできる。【選択図】図５
2006117354.tif 000002
【特許請求の範囲】
【請求項１】
許容重量を超えたときにエレベーター扉を開放する秤装置の秤装置用スイッチを試験的に作動させる動作試験装置において、エレベーター籠の床裏面に着脱自在に装着できる固定具を有する試験具枠体と、試験具枠体に支点ボルトにより取付けられ、床裏面に対向する位置に配置された秤装置取付け金具に取付けられた秤装置用スイッチを作動状態にする位置と非作動状態にする位置との間の移動範囲で少なくとも可動するスイッチ作動カムと、スイッチ作動カムを作動状態と非作動状態にするための電磁マグネット部と、電磁マグネット部の励磁と非励磁により水平方向に移動するプランジャーと、プランジャーを励磁時に水平方向の移動量を調整する調整ナットと移動量を抑制する移動量抑制ストッパー及び、非励磁時にプランジャーを復帰するための復帰弾性体と復帰量を抑制する復帰量抑制ストッパーを有した構成の動作試験具、また、エレベーター籠の床裏面に着脱自在に装着できる固定具を有する制御電源部が電磁マグネット部の一旦より電線を介し接続され、更に、制御電源部の一旦と簡単に接続が行える接続機構を有した電線を介し、作動と非作動の信号を遠隔から送る操作部で構成されたことを特徴とするエレベーター秤装置の動作試験装置。
【請求項２】
前記請求項１に記載されるエレベーター秤装置に使用する動作試験装置の制御電源部と操作部間を無線通信としたことを特徴とするエレベーター秤装置の動作試験装置。
【発明の詳細な説明】
【技術分野】
【０００１】
本発明はエレベーター秤装置に使用する動作試験装置に関する。特に本発明は許容重量を超えたときにエレベーター扉を開放する秤装置の秤装置用スイッチを試験的に作動させる動作試験装置に関する。
【背景技術】
【０００２】
図８にエレベーターの構造の一部を示す。図８に示すように、エレベーター昇降路２０内にはエレベーター籠２１が上下方向に移動できる。エレベーター昇降路２０内において最下階の乗降場２２よりも下方にピット室２３が配備され、ピット室２３には緩衝機２４が配置される。ピット室２３においては作業者による保守点検作業が行われる。前記エレベーター籠２１にはエレベーター扉２７が配置され、乗客の降り際に際しエレベーター扉２７の開閉が行われる。この種のエレベーターにおいては秤装置が設置される。秤装置はエレベーター籠２１内に乗れる定員数を超えたときつまり許容重量を超えたときに乗客に定員数を超えたことを知らせる安全装置である。この秤装置は秤装置用スイッチ１、警報ブザー２５及び図示しない扉開放装置を備え、許容重量を超えたときに警報ブザー２５が鳴り、かつエレベーター扉２７が開放される。前記秤装置の秤装置用スイッチ１はエレベーター籠２１の床面２の裏面に防振ゴム２６を介在し対向して配置された秤装置取付け金具６に取付けられる。防振ゴム２６はエレベーター籠２１内に乗客が乗ると圧縮される。許容重量を超えると防振ゴム２６がさらに圧縮され、床面２の裏面が秤装置用スイッチ１を押し込み、秤装置用スイッチ１が作動状態になる。秤装置用スイッチ１が作動されると、警報ブザー２５が鳴り、かつ扉開放装置を通してエレベーター扉２７が開放されエレベーターの運転が停止される。警報ブザー２５はエレベーター籠２１内に設置され、乗客に許容重量を超えたことが知らされる。一方、エレベーター籠２１から許容重量を超えた分の乗客が降りると、防振ゴム２６が復元され、床面２の裏面から秤装置用スイッチ１が離れ、秤装置用スイッチ１が非作動状態になる。秤装置用スイッチ１が非作動状態になると、警報ブザー２５が鳴り止み、かつエレベーター扉２７が閉まり、エレベーターの運転が再開される。エレベーターの保守点検作業に際しては併せて前述の秤装置の動作試験（点検）が行われる。この秤装置の動作試験は以下の手順で行われる。まず、エレベーター昇降路２０内にピット室２３に作業者３０が入り待機する。一方、最下階の乗降場２２に作業者３１が待機し、作業者３１はエレベーター籠２１を最下階に停止させる。エレベーター籠２１が最下階に停止すると作業者３１がエレベーター籠２１内に乗り込み、エレベーター扉２７を閉める操作が行われる。この操作に併せて作業者３０は秤装置用スイッチ１を手動で押し込み、秤装置用スイッチ１を作動状態に維持する。作業者３０が床面２と秤装置取付け金具６との間の隙間に指を挿入し、秤装置用スイッチ１の手動での押し込みが行われる。前記秤装置用スイッチ１が作動すると警報ブザー２５が鳴り、かつエレベーター扉２７が開放されるので、秤装置の正常動作が確認される。しかしながら、前述のエレベーターの秤装置においては以下の点の配慮がなされていない、第１に、エレベーター籠２１の床面２と秤装置取付け金具６との隙間が狭い。このため、作業者３０の指が秤装置用スイッチ１まで届かない場合があり、この場合には秤装置の動作試験が行えない。第２に、前記秤装置用スイッチ１は上側から下側に押し込む機構で構成され、しかも秤装置用スイッチ１の押し込み部分（先端）の形状が丸い形状で構成される。このため、作業者３０が指で秤装置用スイッチ１を押し込むときに滑りやすく、秤装置用スイッチ１が確実に作動できない。第３に、エレベーター扉２７の閉動作中に作業者３０が秤装置用スイッチ１を作動できないときにはエレベーター扉２７が完全に閉まり、この後にエレベーターの運転が再開されエレベーター籠２１が上昇を開始する。このため、エレベーター籠２１のと床面２と秤装置取付け金具６との間の隙間に作業者３０が指や手を挟まれた状態でエレベーター籠２１が上昇する危険性があった。
【０００３】
そこで、許容重量を超えたときにエレベーター扉を開放する秤装置の秤装置用スイッチを試験的に作動される動作試験具を、前記エレベーター籠の床裏面に着脱自在に装着できる試験具枠体と、前記試験具枠体に取付けられ、前記床裏面に対向する位置に配置され秤装置取付け金具に取付けられた秤装置用スイッチを作動状態にする位置と非動作状態にする位置との間の移動範囲で少なくとも可動するスイッチ作動カムと、前記試験具枠体に一端が連結され他端が秤装置取付け金具の外周囲に引き出され、前記他端側からの操作で前記スイッチ作動カムを前記移動範囲で可動させる遠隔作動体で構成されたものを用い、ピット内で安全に動作確認が行える動作試験具が知られている。
【特許文献１】特開平７−３０９５４４（段落０１４〜０４３、図１〜図１１）
【発明の開示】
【発明が解決しようとする課題】
【０００４】
秤装置の動作試験は、ピット室に作業者がいる状態で、エレベーターの運転モードを平常状態にした後、ピット室の作業者が秤装置用スイッチを動作させる必要がある。近年、エレベーターのピット深さは浅くなる傾向にあり、点検作業時の安全距離を確保する必要から底部安全距離確保スイッチの設備が法令で定められている。従って、ピット室に作業者が入るためには、一旦最下階により保守運転で上昇運転し、エレベーター籠下に隙間を確保した上で、ピット室に作業者が入る。エレベーターの籠の床裏面に試験具を取付けた後、底部安全距離確保スイッチの関係から最下階まで保守運転による下降運転が制限されるため、段差の付いた状態で平常モードに切り替える必要があり、その際、救出下降運転によりピット室の作業者がエレベーター籠の床裏面とピット室機器との間に挟まれる危険性がある。また、場合によっては、１階床上の階に救出上昇運転を行う場合もあり、動作試験具の遠隔操作体を更に延長したものが必要となる。この従来技術の遠隔操作体は、機械的なワイヤー等の手段を用いていることから、延長して長くなるとねじれ等が生じて、良好な動作が望めないという問題が有った。そこで、本発明は、動作試験具を取付ける際には、一旦ピットに作業者が入るが、動作試験時はピット内から作業者が乗降場に出た状態で、安全に、かつ確実に確認ができる動作試験装置の提供を課題とするものである。
【課題を解決するための手段】
【０００５】
請求項１の発明にかかる動作試験装置は、エレベーター籠の床裏面に着脱自在に装着できる固定具を有する試験具枠体と、試験具枠体に支点ボルトにより取付けられ、床裏面に対向する位置に配置された秤装置取付け金具に取付けられた秤装置用スイッチを作動状態にする位置と非作動状態にする位置との間の移動範囲で少なくとも可動するスイッチ作動カムと、スイッチ作動カムを作動状態と非作動状態にするための電磁マグネット部と、電磁マグネット部の励磁と非励磁により水平方向に移動するプランジャーと、プランジャーを励磁時に水平方向の移動量を調整する調整ナットと移動量を抑制する移動量抑制ストッパー及び、非励磁時にプランジャーを復帰するための復帰弾性体と復帰量を抑制する復帰量抑制ストッパーを有した構成の試験具、また、エレベーター籠の床裏面に着脱自在に装着できる固定具を有する制御電源部が電磁マグネット部の一旦より電線を介し接続され、更に、制御電源部の一旦と簡単に接続が行える接続機構を有した電線を介し、作動と非作動の信号を遠隔から送る操作部をエレベーター籠内に配置する構成としたことを特徴とする。また、請求項２の発明にかかる動作試験装置は、請求項１に記載される動作試験装置の制御電源部との操作部間を無線通信とし、エレベーター籠内より遠隔装置を可能としたことを特徴とする。
【発明の効果】
【０００６】
請求項１の動作試験装置は、エレベーター籠の床裏面に着脱できる固定具を有する試験具枠体と、試験具枠体に支点ボルトにより取付けられ、床裏面に対向する位置に配置された秤装置取付け金具に取付けられた秤装置用スイッチ作動状態にする位置と非作動状態にする位置との間の移動範囲で少なくとも可動するスイッチ作動カムと、スイッチ作動カムを作動状態と非作動状態にするための電磁マグネット部で構成する試験具と、エレベーター籠の床裏面に着脱自在に装着できる固定具を有する制御電源部とに分離し、制御電源部を電磁マグネット部の一旦より電源を介した接続とすることで、エレベーター籠下の限られた環境でも自由に配置でき、更に、制御電源部の一旦と簡単に接続が行える接続機構を有した電線を介し、作動と非作動の信号を遠隔から送る操作部をエレベーター籠内に配置する構成としたことで、動作試験が容易にかつ確実に行え、しかも動作試験時にピット内に作業者を配置する必要がないことから作業上の安全性が高いエレベーター秤装置の動作試験装置が提供できる。
【０００７】
また、請求項２の動作試験装置は、請求項１に記載される動作試験装置の制御電源部と操作部間を無線通信とし、エレベーター籠内より遠隔操作を可能とした構成とすることで、エレベーター籠の床裏面とエレベーター籠内間の布設作業を不要とし、また、動作試験が容易にかつ確実に行え、しかも動作試験時にピット内に作業者を配置する必要がないことから作業上の安全性が高いエレベーター秤装置の動作試験装置が提供できる。
【発明を実施するための最良の形態】
【０００８】
（実施形態１）
まず、本発明の実施形態１を図１乃至図４に基づいて説明する。図１は本発明の実施形態１にかかるエレベーター秤装置に使用される動作試験装置の構成を示す組立設置図、図２は動作試験装置の動作試験具が動作した状態を示す図、図３は本発明の実施形態１にかかるエレベーター秤装置に使用される動作試験装置の設置状況を示す図、図４は本発明の実施形態１にかかるエレベーター秤装置に使用される動作試験装置の試験状況を示す図である。図１において、試験具枠体４は、床面２の裏面に取付ける上面、電磁マグネット部８を取付ける側面及びスイッチ作動カム７を取付ける２つの側面を有する箱型形状で構成される。試験具枠体４の上面には床面２の裏面（通常は金属性で形成される）に取付け取外しが自在で適度に試験具枠体４を国定できる固定具３が設けられる。試験具枠体４のスイッチ作動カム７を取付ける２つの側面はスイッチ作動カム７の形状に合わせて切取られた形状で構成される。スイッチ作動カム７は試験具枠体４の側面に支点ボルト５で回転自在に取付けられる。スイッチ作動カム７は少なくとも秤装置用スイッチ１の作動位置と非作動位置との間の可動範囲で回転自在に取付けられる。
【０００９】
試験具枠体４の側面には、電磁マグネック部８が取付けられ、電磁マグネット部８には励磁と非励磁により水平方向に移動するプランジャー９と、プランジャー９を励磁時に水平方向の移動量を調整する調整ナット１０と移動量を抑制する移動量抑制ストッパー１１及び、非励磁時にプランジャーを復帰するための復帰弾性体１２と復帰量を抑制する復帰量抑制ストッパー１３により構成されており、プランジャー９の一端はスイッチ作動カム７と支点ボルト５により連結している。図２において、電磁マグネット部８が励磁した際、プランジャー９はスイッチ作動カム７を押し下げる方向に移動し、秤装置用スイッチ１が動作する。この時、調整ナット１０により移動量抑制ストッパーの位置を調整し、秤装置用スイッチ１が確実に動作する位置に調整できる構造である。また、図１において、電磁マグネット部８が非励磁となった際に、復帰弾性体１２によりプランジャー９は押し戻され、支点ボルト５により連結されたスイッチ作動カム７も非作動位置に戻る構造である。電磁マグネット部８の励磁と非励磁は、電磁マグネット部８の一旦より電線１５を介し接続された制御電源部１４からの通電及び通電遮断により行われる。制御電源部１４は、床面２の裏面に取付け取外しが自在で適度に制御電源部１４を固定できる固定具３が設けられる。試験具枠体４と電磁マグネット部８の構成品である動作試験具７ａと制御電源部１４を分離した構成とすることで、床面２の環境に左右されることなく適切な位置に取付けを可能とした構成としている。また、操作部１７の電線１５の先端には接続機構１６があり、接続機構１６を制御電源部１４に接続して使用する。接続機構１６を有するのは、エレベーター籠２１内に操作部１７を配置（図３乃至図４参照）し、電線を床面２の裏面に布設した上で、制御電源部１４に接続する構造である。次に本発明品を使用したエレベーター秤装置の動作試験手順について図３乃至図４を使用し説明する。まず、図３に示すように、エレベーター籠２１内に作業者３１が待機し、作業者３０がピット室２３に入れる位置まで保守運手にて上昇運転を行い停止後、エレベーター昇降路２０内のピット室２３に作業者３０が入り待機する。更に、作業者３１はエレベーター籠２１をピット室２３の作業者３０が動作試験具７ａ及び制御電源部１４の取付け作業が行える位置まで保守運転で下降運転後、停止させる。エレベーター籠２１内の作業者３１は作業者３０の動作試験具７ａ及び制御電源部１４の取付けが完了するまで待機する。作業者３０は、エレベーター籠２１の床面２の裏面と秤装置取付け金具６との間の隙間に動作試験具７ａを挿入し、そして、秤装置用スイッチ１の真上において床面２の裏面に動作試験具７ａを固定具３で取付け固定する。次に、作業者３０は、制御電源部１４を固定具３で取付け固定する。次に作業者３１は、エレベーター扉２７を開け、操作部１７の電線１５の接続機構１６側をピット室２３内の作業者３０に手渡す。作業者３０は、電線１５を床面２に布設し、接続機構を制御電源部１４に接続する。接続完了後、図４に示すように、作業者３１は、最下階より１階床上の階まで保守運転で上昇運転後停止する。作業者３０は、ピット室２３より乗降場２２へ出た後、乗降場２２で待機する。作業者３１はエレベーター扉２７を閉める操作を行う。この操作に併せて作業者３１は図４に示すように操作部１７を操作する。操作部１７からの作動信号が電線１５を介して制御電源部１４に入力され、制御電源部から電線１５を介して動作試験具７ａに通電され、図２に示すようにプランジャー９はスイッチ作動カム７を押し下げる方向に移動し、秤装置用スイッチ１が作動状態を維持する。秤装置用スイッチ１が作動すると図４に示すように警報ブザー２５が鳴り、かつエレベーター扉２７が開放されるので、秤装置の正常動作が確認される。秤装置の正常動作が確認された後に操作部１７の操作を止める。秤装置用スイッチ１の復元力で秤装置用スイッチ１が非作動状態に復帰する。秤装置用スイッチ１が非作動状態になると警報ブザー２５が鳴り止み、かつエレベーター扉２７が閉まり、エレベーター扉２７が完全に閉まるとエレベーターの運転が再開される。
【００１０】
（実施形態２）
本発明の実施形態２を図５乃至図７に基づいて説明する。図５は本発明の実施形態２にかかるエレベーター秤装置に使用される動作試験装置の構成を示す組立設置図、図６は本発明の実施形態２にかかるエレベーター秤装置に使用される動作試験装置の設置状況を示す図、図７は本発明の実施形態２にかかるエレベーター秤装置に使用される動作試験装置の試験状況を示す図である。図５において、動作試験装置の動作試験具７ａについては、前記実施形態１に記述の動作試験具７ａであり同一構造である。また、電磁マグネット部８の励磁と非励磁は、電磁マグネット部８の一旦より前線１５を介し接続された制御電源部１４からの通電及び通電遮断により行われる。制御電源部１４は、床面２の裏面に取付け取外しが自在で適切に制御電源部１４を固定できる固定具３が設けられる。また、前記実施形態１と同様に動作試験具７ａと制御電源部１４を分離した構成とすることで、床面２の環境に左右されることなく適切な位置に取付けを可能とした構成としている。本実施形態では、制御電源部１４と操作部１７間の通信を無線通信１８で行う構造である。次に本発明品を使用したエレベーター秤装置の動作試験手順について図６乃至図７を使用し説明する。まず、図６に示すように、エレベーター籠２１内に作業者３１が待機し、作業者３０がピット室２３に入れる位置まで保守運転にて上昇運転を行う停止後、エレベーター昇降路２０内のピット室２３に作業者３０が入り待機する。更に、作業者３１はエレベーター籠２１をピット室２３の作業者３０が動作試験具７ａ及び制御電源部１４の取付け作業が行える位置まで保守運転で下降運転後、停止させる。エレベーター籠２１内の作業者３１は作業者３０の動作試験具７ａ及び制御電源部１４の取付けが完了するまで待機する。作業者３０は、エレベーター籠２１の床面２の裏面と秤装置取付け金具６との間の隙間に動作試験具７ａを挿入し、そして、秤装置用スイッチ１の真上において床面２の裏面に動作試験具７ａを固定具３で取付け固定する。次に、作業者３０は、制御電源部１４を固定具３で取付け固定する。取付け完了後、図７に示すように、作業者３１は、最下階より１階床上の階まで保守運転で上昇運転後停止する。作業者３０は、ピット室２３より乗降場２２へ出た後、乗降場２２で待機する。作業者３１はエレベーター扉２７を閉める操作を行う。この操作に併せて作業者３１は図４に示すように操作部１７を操作する。操作部１７からの作動信号が無線通信１８により制御電源部１４に入力され、制御電源部から電線１５を介して動作試験具７ａに通信され、前記実施形態１に記述と同様に秤装置用スイッチ１が作動状態を維持する。秤装置用スイッチ１が作動すると図７に示すように警報ブザー２５が鳴り、かつエレベーター扉２７が開放されるので、秤装置の正常動作が確認される。秤装置の正常動作が確認された後に操作部１７の操作を止める。秤装置用スイッチ１の復元力で秤装置用スイッチ１が非作動状態に復帰する。秤装置用スイッチ１が非作動状態になると警報ブザー２５が鳴り止み、かつエレベーター扉２７が閉まり、エレベーター扉２７が完全に閉まることエレベーターの運転が再開される。
【図面の簡単な説明】
【００１１】
【図１】本発明の実施形態１にかかるエレベーター秤装置に使用される動作試験装置の構成を示す組立設置図である。
【図２】動作試験装置の動作試験具が動作した状態を示す図である。
【図３】本発明の実施形態１にかかるエレベーター秤装置に使用される動作試験装置の設置状況を示す図である。
【図４】本発明の実施形態１にかかるエレベーター秤装置に使用される動作試験装置の試験状況を示す図である。
【図５】本発明の実施形態２にかかるエレベーター秤装置に使用される動作試験装置の構成を示す組立設置図である。
【図６】本発明の実施形態２にかかるエレベーター秤装置に使用される動作試験装置の設置状況を示す図である。
【図７】本発明の実施形態２にかかるエレベーター秤装置に使用される動作試験装置の試験状況を示す図である。
【図８】従来のエレベーターの構造の一部を示す断面図である。
【符号の説明】
【００１２】
１    秤装置用スイッチ
２    床面
３    固定具
４    試験具枠体
５    支点ボルト
６    秤装置取付け金具
７    スイッチ作動カム
７a  動作試験具
８    電磁マグネット部
９    プランジャー
１０  調整ナット
１１  移動量抑制ストッパー
１２  復帰弾性体
１３  復帰量抑制ストッパー
１４  制御電源部
１５  電線
１６  接続機構
１７  操作部
１８  無線通信
２０  エレベーター昇降路
２１  エレベーター籠
２２  乗降場
２３  ピット室
２４  緩衝器
２５  警報ブザー
２６  防振ゴム
２７  エレベーター扉
３０，３１  作業者
【図１】
2006117354.tif 000003
【図２】
2006117354.tif 000004
【図３】
2006117354.tif 000005
【図４】
2006117354.tif 000006
【図５】
2006117354.tif 000007
【図６】
2006117354.tif 000008
【図７】
2006117354.tif 000009
【図８】
2006117354.tif 000010